(57)【要約】【課題】  放熱效果が高く、外の空気と設備内部の空気の対流を強化した放熱装置の提供。【解決手段】  カバー板、固定片、固定器、ファン、筒体と環状カバーから成り、該ファンの嵌合突起を該固定器の嵌入溝内に嵌置して該ファンを該固定器内に固定し、該筒体の凹槽を該固定器内に固定し、さらに該環状カバーを該筒体上に被せて設置し、また、該固定器と固定片をネジにより固定すると共に、該カバー板上に該ファンの外界空気の吸入または設備内部の熱気の排出に用いる通風孔を設け、さらに前記固定器上に複数組の長孔を形成し、前記固定片を設備内部に設置した後、該長孔により該放熱装置の設置位置を調整し、ネジで該固定器と固定片及び電源供給器を固定し、さらに、該放熱装置を装置内部に設置した後、装置内部の設備配置に合わせ、前記筒体の長さが調節可能であり、前記環状カバーと放熱ファンの間隔を調節することができることを特徴とする。【選択図】    図２
0003104154.tif 000002
【実用新案登録請求の範囲】
【請求項１】
カバー板、固定片、固定器、ファン、筒体と環状カバーから構成される放熱装置であって、そのうち、該ファンの嵌合突起を該固定器の嵌入溝内に嵌置して該ファンを該固定器内に固定し、該筒体の凹槽を該固定器内に固定し、さらに該環状カバーを該筒体上に被せて設置し、また、該固定器と固定片をネジにより固定すると共に、該カバー板上に該ファンの外界空気の吸入または設備内部の熱気の排出に用いる通風孔を設け、さらに前記固定器上に複数組の長孔を形成し、前記固定片を設備内部に設置した後、該長孔により該放熱装置の設置位置を調整し、ネジで該固定器と固定片及び電源供給器を固定し、さらに、該放熱装置を装置内部に設置した後、装置内部の設備配置に合わせ、前記筒体の長さが調節可能であり、前記環状カバーと放熱ファンの間隔を調節することができることを特徴とする放熱装置。
【請求項２】
該ファンが電源コードで装置内部の電源供給器に接続された請求項1に記載の放熱装置。
【請求項３】
該カバー板が使用設備に合わせ、該使用設備の大きさと同じ大きさである請求項1に記載の放熱装置。
【請求項４】
該環状カバーが、使用者の必要に応じ、設備内部の放熱ファンの大きさに合う大きさのものに交換可能である請求項1に記載の放熱装置。
【請求項５】
該固定片とネジ孔の組合せ構造が、さらに、突起で引掛ける構造、弾性片による係合及びコンピュータ、電子、電機製品内部に応用される嵌合構造とすることができる請求項1に記載の放熱装置。
【考案の詳細な説明】
【技術分野】
【０００１】
本考案は、放熱装置であって、ファンの嵌合突起を固定器の嵌入溝内に嵌置してファンを該固定器内に固定し、筒体の凹槽を該固定器内に固定し、環状カバーを該筒体上に被せて設置し、さらに該固定器と固定片をネジにより固定し、カバー板上に該ファンによる外界空気の吸入または設備内部の熱気の排出に用いる通風孔を設け、該固定器上に複数組の長孔を形成し、固定片を設備内部に固定した後、該長孔を介し放熱装置の設置位置を調節し、ネジで該固定器、固定片及び電源供給器を固定することを特徴とする、放熱装置に関する。
【０００２】
放熱装置を装置内部に設置した後、筒体により環状カバーと放熱ファンの間隔を調節し、使用者が設備内部の設備配置に合わせ筒体の長さを調節することができる。
【背景技術】
【０００３】
従来の放熱器は、パーソナルコンピュータのCPU放熱器のように、高熱伝導材質の放熱片と高速回転ファンを採用しているが、放熱器全体が密閉された空間内に設置されているため、熱い空気が内部で循環対流を繰り返し、放熱效果が低くなってしまい、特に内部装置が多い場合、その放熱效果はより低下し、精密な電子設備においては、設備の故障が発生しやすくなってしまう。
【考案の開示】
【考案が解決しようとする課題】
【０００４】
このため、本考案は、放熱器の放熱效果を向上し、設備の外界の空気との対流性を強化した、放熱装置の提供を目的とするものである。
【課題を解決するための手段】
【０００５】
図１及び図２に本考案の放熱装置を示す。放熱装置Ａは、カバー板Ｂ、固定片Ｃ、固定器Ｄ、ファンＥ、筒体Ｆと環状カバーGから構成され、そのうち、該ファンＥの嵌合突起Ｅ１を該固定器Ｄの嵌入溝Ｄ２内に嵌置して該ファンＥを該固定器Ｄ内に固定し、該筒体Ｆの凹槽Ｆ１を該固定器Ｄ内に固定し、さらに該環状カバーＧを該筒体Ｆ上に被せて設置し、また、該固定器Ｄと固定片Ｃをネジにより固定すると共に、該カバー板Ｂ上に該ファンＥの外界空気の吸入または設備内部の熱気の排出に用いる通風孔Ｂ１を設けたことを特徴とする。
【０００６】
図３に示すように、前記放熱装置Ａを組み込むときは、前記固定器Ｄ上に設けた複数組の長孔Ｄ１を利用し、前記固定片Ｃを設備内部に設置した後、該長孔Ｄ１により放熱装置Ａの設置位置を調整し、ネジで該固定器Ｄと固定片Ｃ及び電源供給器Ｈを固定する。
【０００７】
図３−１に示すように、前記放熱装置Ａを装置内部に設置した後、前記筒体Ｆにより前記環状カバーＧと放熱ファンＬの間隔を調節し、使用者が装置内部の設備配置に合わせ該筒体Ｆの長さを調節することができる。
【０００８】
前記のうち、該固定片Ｃのネジ孔Ｃ１は、ネジで設備内部に固定する構造であるが、さらに
突起による係合、弾性片による係合及びコンピュータ、電子、電機製品内部に応用される嵌合構造としてもよい。
【０００９】
前記のうち、該ファンＥは電源コードＥ２により設備内部の電源供給器と接続される。
【００１０】
前記のうち、該カバー板Ｂは使用設備に応じその設備の大きさと同じサイズとする。
【００１１】
前記のうち、該環状カバーＧは使用者の必要に応じ設備内部の放熱ファンの大きさに合う環状カバーに交換することができる。
【考案の効果】
【００１２】
本考案と従来の製品を比較すると、以下のようにまとめることができる。
《従来品の欠点》
１、設備内が密閉空間となっており、外界気体との対流が行なわれにくい。
２、放熱器が熱い空気の循環を継続し、放熱效果が低い。
３、放熱器が直接設備外部の冷たい空気と対流を形成することができず、設備内の
気体が入れ換わらない箇所が高温状態になってしまう。
４、冷熱気体の対流が形成されにくく、高温が電子設備にダメージを与え、寿命を短くする。
【００１３】
《本考案の利点》
１、ファンが外界の冷たい空気を吸入し、また、設備内部の熱い空気を排出することができる。
２、環状カバーの大きさを設備内部のファンの大きさに合わせることができ、気体の流動速度と対流効率を向上することができる。
３、筒体の長さを使用者の必要に応じ調整することができ、放熱效果をより高くすることができる。
４、固定片と固定器を利用した放熱装置の構造で、内部装置が異なる設備に対応することができる。
５、進歩性と実用性がある。
６、産業競争力を向上することができる。
【考案を実施するための最良の形態】
【００１４】
本考案の放熱装置は、図４、図４−１、図４−２に示すように、コンピュータ本体Ｊ内部のマザーボードＫ上に放熱片Ｉと放熱ファンＬが設置されており、前記固定片Ｃのネジ孔Ｃ１がネジでコンピュータ本体内に固定され、さらに固定器Ｄの長孔がネジで該固定片Ｃ及び電源供給器Ｈ上に固定され、且つ、ファンＥは電源コードＥ２で電源供給器Ｈの電源コードＨ１と接続される。
【００１５】
コンピュータ本体の運転時は、環状カバーＧが放熱ファンＬ上に被さった状態であるため、放熱ファンＬが放熱片Ｉに向かって気流を送る場合、筒体ＦとファンＥを介し、カバー板Ｂの通風孔Ｂ１から設備の外の空気が導入され、放熱ファンＬが設備内部の熱気を吸入し、熱気が設備内部で循環するのを防ぎ、また、放熱ファンＬが外へ向かって放熱片Ｉの熱を排出する時は、筒体ＦとファンＥを介し直接熱気をカバーＢの通風孔Ｂ１から設備の外へ排出し、熱気が設備内部で循環するのを防ぐ。
【００１６】
以上、本考案の最良の実施例を説明してきたが、この実施例は本考案の特許範囲を制限するものではなく、本考案の説明書及び図示された内容を運用した同等効果を得る構造を、直接的または間接的に他の関連技術領域に運用した場合も、すべて本考案の要旨に逸脱しない範囲に含まれるものとする。
【図面の簡単な説明】
【００１７】
【図１】本考案の立体斜視図である。
【図２】本考案の立体分解図である。
【図３】本考案の動作模式図１である。
【図３−１】本考案の動作模式図２である。
【図４】本考案の実施例を示す立体透視図１である。
【図４−１】本考案の実施例を示す立体透視図２である。
【図４−２】本考案の実施例を示す立体透視図３である。
【符号の説明】
【００１８】
A        放熱装置
B        カバー板
B１      通風孔
C        固定片
C１      ネジ孔
D        固定器
D１      長孔
D２      嵌入溝
E        ファン
E１      嵌合突起
E２      電源コード
F        筒体
F１      凹槽
G        環状カバー
H        電源供給器
I         放熱片
J        コンピュータ本体
K        マザーボード
L        放熱ファン
【図１】
0003104154.tif 000003
【図２】
0003104154.tif 000004
【図３】
0003104154.tif 000005
【図３−１】
0003104154.tif 000006
【図４】
0003104154.tif 000007
【図４−１】
0003104154.tif 000008
【図４−２】
0003104154.tif 000009